(57)【要約】      （修正有）【課題】シャトルコック収納筒としても使用でき、球を１つずつ取り出すことができるバドミントン練習用球数調節機能付き肩掛けシャトルコック球出し器を提供する。【解決手段】軸方向にシャトルコックの羽根の最大経よりも大経の空洞部は、伸縮可トウ性である。下端開口部に、該筒体の空洞部を落下したシャトルコックの頭部が露出し且つ羽根の先端部分が係止される取出口部材を設ける。筒体の縮経取出口部材の最小経部内面に柔らかい素材で曲面に形成する。筒体の開口部両端にキャップを設け、筒体本体にはカバ−を付ける。カバ−には、調節機能付きのバンドを付ける事によりシャトルコック収納筒となり、簡単に移動でき、且つ、コンパクトに収納することもできる。専用に固着部品を付けることにより、３連式肩掛け型バドミントン練習用球出し器を提供する。【選択図】図５
2011115247.tif 000002
【特許請求の範囲】
【請求項１】
両端に開口部を有し、使用者の肩から腰方向に掛かったシャトルコックの羽根の最大経よりも大経の空洞部を有する筒体からなり該筒体は伸縮可トウ性であり、筒体の下端開口部に、該筒体の空洞部を落下したシャトルコックの頭部が露出し且つ羽根の先端部分が係止される取出口部材を設けたことを特徴とする、手渡しを不要とした肩掛け型バドミントン練習用球出し器。
【請求項２】
筒体を肩掛け式とし，練習時に容易に球のコ−スを変えることができるようになったこと及び、伸縮可トウ性の筒体の縮経取り出し口部材の最小経部内面に柔らかいフェルトで曲面が形成されていることをさらに特徴とする請求項１記載の肩掛け型バドミントン練習用球出し器。
【請求項３】
蛇腹状にすることで伸縮可トウ性の筒体の形状となった。これにより練習者のレベルに合わせた球数に調節することができ且つ、使用者の座高にも調節できさらに体にフィットすること，また収納時はコンパクトに収納できることをさらに特徴とする請求項１または２記載の肩掛け型バドミントン練習用球出し器。
【請求項４】
両端にある開口部にキャップを設けることにより、筒体を角度自在にしても移動やシャトルの収納時にも筒体から露出することなくまた破損や紛失することが軽減されること、さらに肩掛け型シャトルコック収納筒となることで今まで球出し器が大きいため団体等しか使用できなかった球出し器も個人で使用できるようになり、すべての使用者がちょっとした移動時・収納時等にも便利に使用できることを特徴とする請求項１〜３のいずれか記載の肩掛け型バドミントン練習用球出し器。
【請求項５】
蛇腹状の伸縮カトウ性の筒体全体を包むカバ−を設けることで伸縮時、指等を挟む危険防止効果と筒体の両端に調節機能付きの肩掛けバンドを設ける事で肩に掛け自由自在に使用者が移動でき、且つ使用者の座高にも調節・フィットすることを特徴とする肩掛け型バドミントン練習用球出し器。
【請求項６】
利用者のニ−ズに合わせたデザインカバ−にすることで，おしゃれでファッション性のある個人でも簡単手軽に使用出来るシャトルコック収納筒になることを特徴とする肩掛け型バドミントン練習用球出し器。
【請求項７】
本発明の練習器具３本を固着できるような専用の取り付け部品を設けると、３連式の肩掛け型バドミントン練習用球出し器にでき１度に多くの球出しを必要とする練習や練習者に対応することができることを特徴とする請求項１〜６のいずれか記載の肩掛け型バドミントン練習用球出し器。
【発明の詳細な説明】
【技術分野】
【０００１】
本発明は肩掛け型バドミントン練習用球出し器に関するものである。
【背景技術】
【０００２】
バドミントンのノック練習では、練習の効率を上げ、ノッカ−であるコ−チ等の疲労を少なくするために、球（シャトルコック）を補助者が一つずつノッカ−に手渡していた。このため、球を手渡すには頻繁に補助者がノッカ−に近づく必要があり、補助者が子どもの場合は安全上の不安があった。また、ノッカ−と補助者の呼吸が合うことが必要であり、気苦労も多かった。
【０００３】
したがって、本発明の主たる目的は、手渡しを不要にし、ノッカ−が筒体から球を一つずつ取り出すことができるシャトルコックの肩掛け型球出し器を提供することにある。
【０００４】
本発明の第２の目的は、手渡しの補助者を不要にして球出し器を肩に掛けることにより、常にノッカ−等であるコ−チが球を一つずつ取り出し、すばやくコ−スを変えながら打つことができるシャトルコックの肩掛け型球出し器を提供することにある。
【０００５】
本発明の第３の目的は、球出しの際にシャトルコックの羽根の破損を防止し，シャトルコックを挿入するときにも怪我をしない構造の上記肩掛け型球出し器を提供することにある。
【０００６】
本発明の第４の目的は、伸縮カトウ性の機能を利用し、球出しの際に練習者のレベルに合わせた球数に調節することができる肩掛け型球出し器を提供することにある。
【０００７】
本発明の第５の目的は、体育倉庫等は体育館の広さの割には狭く小さいため、収納時に小さくコンパクトに収納することができる肩掛け型球出し器を提供することにある。
【０００８】
本発明の第６の目的は、開口部両端にキャップを設けることにより、筒体を左右上下してもシャトルコックが露出しないような紛失の防止効果もある肩掛け型球出し器を提供することにある。
【０００９】
本発明の第７の目的は、蛇腹状の伸縮カトウ性の筒体に指が挟まれないよう筒全体にカバ−をしてケガを防止するとともに、その両端には調節機能付き肩掛けバンドを設け、使用者の体格による調節を可能として使用者の座高にも調節・フィットする肩掛け型球出し器を提供することにある。
【００１０】
本発明の第８の目的は、利用者のニ−ズに合わせたデザインカバ−をつけた肩掛け型シャトルコック収納筒を提供することにある。それにより、おしゃれなシャトルコック収納筒になり、ちょっとした移動・収納時等にもファッション性の楽しみをもつことができる。
【００１１】
本発明の第９の目的は、筒体３本を固着することで球数を多くすることができる肩掛け型バドミントン練習用球出し器専用部品を提供することにある。上級者向けの一回に多くの球出しを必要とする練習などを行う際、本発明器具を専用の取り付け部品を使用することで器具３本を固着することができる。これにより、３連式の肩掛け型バドミントン練習用球出し器となり、容易に球数を増やすことができる。
【００１２】
従来の技術においては、両端に開口部を有し、軸方向にシャトルコックの羽根の最大経よりも大経の空洞部は直線型の筒体である。下端開口部は、該筒体の空洞部を落下したシャトルコックの頭部が露出し、且つ羽根の先端部分が係止される取出口部材を設けた構成である。且つ球出し器の筒体を支持部材に降下角度自在に且つ上下移動自在に支持できる構成である。［特許文献１］と［特許文献２］の技術がある。
【００１３】
従来の技術において特許文献１には、球出し器に数本の筒体を支持部材に固着し降下角度自在に且つ上下移動自在に支持させた構成であった。そのため、様々な位置から多くの球出しが可能となる反面、筒が直線型で固定式となり，場所を広くとり更に、指導者が球のコ−スを変えるごとに球出し器本体を移動するか指導者自身が球出し器本体までシャトルコック（球）を取りに行く不便さがあった。また、球出し器本体の収納にも広い場所が必要となっていた。
【００１４】
また、特許文献２には、１本の筒体ではシャトルコック（球）の数に限界があり，常にすばやく球を補充する必要があった。特許文献１の球出し器と比べ、筒部分と支持部材がコンパクトな構成となったが、球出し器本体の移動や収納にはまだ大きな労力や広い場所が必要となっていた。
【００１５】
また、従来の技術において特許文献１と特許文献２は、球出し器本体が大きく移動や収納には、体育館倉庫等になり気軽に個人の使用目的で持ち運びが出来る大きさではなかった。
【先行技術文献】
【特許文献】
【００１６】
【特許文献１】特開平６−０４６７５８号公報
【特許文献２】特開平９−１１７５３９号公報
【発明の概要】
【発明が解決しようとする課題】
【００１７】
従来の練習技術においては、球（シャトルコック）を一つずつノッカ−に手渡していた。これを解消するためバドミントン練習用球出し器があったが、軸が固定式になっており移動・収納・コンパクト性に問題があった。
【００１８】
従来のバドミントン練習用球出し器においては、筒体の形状は固定式であり，球数の調節機能性に問題があった。
【００１９】
従来のバドミントン練習用球出し器においては、ノッカ−であるコ−チ等の近くに設置した球出し器に球（シャトルコック）を挿入するため，補助者が球出し器近くに頻繁に行き来することになり、特に小学生等年齢が低い子どもが補助者の場合にはノッカ−のラケットが当たってしまう危険性もあった。
【００２０】
従来のバドミントン練習用球出し器においては、人数的にもまとまったクラブ等でなければ購入不可能な比較的高価な練習器具であり、個人での購入は難しかった。しかも、設置・収納には場所をとるため購入台数にも制限があった。
【００２１】
バドミントンを競技として練習する場合は、大量のシャトルを使用している。これを収納するためには、多くの場合市販のプラスチックケ−スを使用するか、またはシャトル購入時の筒に戻し、筒の入っていた箱を利用するなどしている。したがって、従来の購入台数に制限があるバドミントン練習用球出し器だけでは、シャトルコックの収納には問題があった。
【００２２】
バドミントンを競技として練習する場合、上級者や大量のシャトルを一回のノックで球出しする練習者の練習であれば、従来の２５〜３０球では物足りないという声もあり、球数の上限にも問題があった。
【課題を解決するための手段】
【００２３】
本発明が解決しようとする課題は、上記従来例の欠点を解消し、両端に開口部を有し、使用者の肩から腰方向に掛かったシャトルコックの羽根の最大経よりも大経の空洞部を有する筒体からなり該筒体は伸縮可トウ性にしたことを特徴とし、筒体の下端開口部に、該筒体の空洞部を落下したシャトルコックの頭部が露出し且つ羽根の先端部分が係止される取出口部材を設け、手渡しを不要としたことを特徴とする。
【００２４】
また、前記第２第３の目的を達成するために、本発明は、上記各球出し器において、筒体を肩掛け式とし，練習時に容易に球のコ−スを変えることができるようになったことを特徴とし、伸縮可トウ性の筒体の縮経取り出し口部材の最小経部内面に柔らかいフェルトで曲面が形成されていることをさらに特徴とする。
【００２５】
さらに、前記第４と第５の目的を達成するために、本発明は、主として筒体を蛇腹状にすることで伸縮可トウ性の筒体の形状となった。これにより練習者のレベルに合わせた球数に調節することができ且つ、使用者の座高にも調節できさらに体にフィットすること，また収納時はコンパクトに収納できることをさらに特徴とする。
【００２６】
前記第６の目的を達成するために、本発明は、  両端にある開口部にキャップを設けることにより、筒体を角度自在にしても移動やシャトルの収納時にも筒体から露出することなくまた破損や紛失することが軽減されることを特徴とし、さらに肩掛け型シャトルコック収納筒となることで今まで球出し器が大きいため団体等しか使用できなかった球出し器も個人で使用できるようになり、すべての使用者がちょっとした移動時・収納時等にも便利に使用できることを特徴とする。
【００２７】
前記第７の目的を達成するために、蛇腹状の伸縮カトウ性の筒体全体を包むカバ−を設けることで伸縮時、指等を挟む危険防止効果と筒体の両端に調節機能付きの肩掛けバンドを設ける事で肩に掛け自由自在に使用者が移動でき、且つ使用者の座高にも調節・フィットすることを特徴とする。
【００２８】
前記第８の目的を達成するために、利用者のニ−ズに合わせたデザインカバ−にすることで，おしゃれでファッション性のある個人でも簡単手軽に使用出来るシャトルコック収納筒になることを特徴とする。
【００２９】
前記第９の目的を達成するために、本発明の練習器具３本を固着できるような専用の取り付け部品を設けると、３連式の肩掛け型バドミントン練習用球出し器にでき１度に多くの球出しを必要とする練習や練習者に対応することができることを特徴とする。
【発明の効果】
【００３０】
本発明は、球出し器の取り出し口先端から突出しているシャトルコックを引き抜くだけで容易に手に取ることができるとともに、次段以降のシャトルコックが中空筒体内を自重で降下し、取り出し口先端に突出するので一つずつ連続的に取り出すことができる。従って、ノック練習等をきわめて効率よく行うことができる。
【００３１】
本発明では、球出し器とノッカ−が一体となることで、シャトルを拾ったり、補充したりする子どもたちの様子や位置を把握しやすくなった。近くに来る場合もノッカ−の後方となるため、ラケットの軌道とは一致せず、安全に一度に多くの球を球出し器に補充することが可能になった。よって、練習時の安全性も保てるようになる。
【００３２】
取り出し部材の係止部内面を柔らかい素材にすることにより、引き抜きの際のシャトルコックの摩擦抵抗が小さくなるとともに、羽根の破損が軽減される。
【００３３】
筒体の形状を伸縮カトウ性の蛇腹状にすることにより、練習者のレベルに合わせた球数に調節することができ、且つ、使用者の座高にも調節・フィットすることができる。
【００３４】
開口部両端にキャップを設けることにより、筒体を角度自在にしてもシャトルコックの露出がなく、紛失の心配がなくなる。
【００３５】
伸縮カトウ性の筒体に指が挟まれないよう筒全体にカバ−をして、その両端には調節機能付き肩掛けバンドを設ける。これにより、利用者が球出し器を肩に掛けることが可能となり、安全且つ自由自在に移動できることが可能となる。さらに、練習時には容易に球のコ−スを変えて打つことができるようになる。
【００３６】
上記に加え、体育倉庫・自宅等の狭いスペ−スにおいても最小幅に縮めればコンパクトに収納することができる。また、シャトルを入れ、両端のキャップを閉めることでシャトルコックの移動・収納筒としても利用できる。カバ−に調節機能付きの肩掛けバンドを付けているので、ちょっとした移動時にも羽根が破損や紛失する心配がなく、便利でおしゃれに個人でも簡単手軽に使用し持ち運びすることができる。
【００３７】
また、利用者等のニ−ズに合わせたデザインカバ−にすることで、ファッション性のあるおしゃれなシャトルコック収納筒になる。
【００３８】
上記の球数調節以上のシャトルコックを一度に球出しできるように、本発明の練習器具同士３本を固着できる専用の取り付け部品を設けると、３連式の肩掛け型バドミントン練習用球出し器となり、元の３倍の量の球数を球出しできるようになる。
【図面の簡単な説明】
【００３９】
【図１】本発明による肩掛け型バドミントン練習用球出し器の断面図
【図２】他の実施例１による球出し器の部分断面図
【図３】他の実施例２による球出し器の部分断面図
【図４】本発明による肩掛け型バドミントン練習用球出し器の詳細を示す平面図
【図５】蛇腹機能の変形例１肩掛け型バドミントン練習用球出し器の一部断面図
【図６】蛇腹機能の変形例２肩掛け型バドミントン練習用球出し器の平面図
【図７】両端に設けたキャップの詳細を示す一部断面平面図
【図８】筒カバ−と両端に設けた調節機能付き肩掛けバンドの斜視図
【図９】３連式専用取り付け部品の背面図
【図１０】３連式肩掛け型バドミントン練習用球出し器の斜視図
【発明を実施するための形態】
【００４０】
本発明の実施の様態について添付図面を参照して説明する。本発明の球出し器１は、中心軸方向に空洞部２を有する蛇腹状の中空筒体３の下部開口部に後述する取出口部材４を設けてある。
【００４１】
蛇腹状の中空筒体３の空胴部２はバドミントンの球５、すなわちシャトルコックの最大経よりも若干大経に形成されており、これにより、筒体３内に入れたシャトルコック５が自重で下方に下がり落ちるようになっている。
【００４２】
蛇腹状の中空筒体３の下部先端に設けられた取出口部材４は、内周面に筒体２の空胴部２を落下したシャトルコック５の先端部５ａが外部に露出した状態で後部の羽根５ｂが引っ掛かる係止部６を具備している。
【００４３】
図１の係止部６は取出口部材４の内面に形成した曲面状縮経係止部６ａからなり、球の先端部５ａが取出口部材４の先端から外部に突出し、後部の羽根が曲面状縮経係止部６ａに係止されるようになっている。
【００４４】
図２の係止部６は、取出口部材４の内面に形成したテ−パ−状縮経係止部６ｃからなり、球の先端部５ａが取出口部材４の先端から外部に突出し、後部の羽根がテ−パ−状縮経係止部６ｃに係止されるようになっている。
【００４５】
縮経取出口部材４の係止部６は、シャトルコック５の先端頭部５ａを取出口部材４
の開口端から突出させて後部羽根５ｂを係止させるためのもので、球取出しの際はシャトルコック５の後部羽根５ｂが係止部６のよって絞られて引き出される。従って、係止部６が角張っていると繰り返しして引き出すうちに羽根が損傷することが考えられる。このため、係止部６が図３のように段状縮経係止部６ｂで構成されている場合は該段状縮経係止部６ｂの段部を曲面に形成する事が望ましい。
【００４６】
同様の理由で、係止部６が図２のように先細のテ−パ−状縮経係止部６ｃに構成されている場合も、最小縮経部の内面は丸みを帯びた曲面に形成するのが望ましい。
【００４７】
図３は前記の球出し器１の筒体３ａを支持部材７に、下降角度自在に且つ上下移動自在に支持させたバドミントン練習用球出し器を示すものである。図の支持部材７はベ−ス７ａに、把持具７ｃ有するボ−ド７ｄを上下移動及び下降角度自在に連結してなり、把持具７ｃを介して前記球出し器１をボ−ド７ｄに着脱自在に支持させるようになっている。
【００４８】
図３の実施例によれば、ボ−ド７ｄは、ポ−ル７ｂに沿って上下移動する連結具７ｅに支軸７ｆを回転自在に差し込み、ねじ８ａによって、連結具７ｅをポ−ル７ｂの所定位置に固定し、ねじ８ｂによって、ボ−ド７ｄの支軸７ｆを所望の回転位置に固定するようにしてあり、これにより、球出し器１は支持部材７に対して上下位置及び下降角度を調節可能に支持されている。
【００４９】
図４は前記の球出し器１の蛇腹状の中空筒体３に専用の筒本体カバ−１１を設け使用者が球出し器を肩に掛けられるように筒本体カバ−１１の両端に肩掛けバンド１４を固着させた。また、使用者の座高にも調節・フィットすることができるようにバンド調節機能部品１４を設けた。
【００５０】
図５、図６は、蛇腹機能の変形例を示した肩掛け型バドミントン練習用球出し器の一部断面図である。使用者の座高にフィットすると腰部部分の内側は、蛇腹部分最小収縮時１０となり外部は、蛇腹部分を伸ばした時１０ａからなる伸縮可トウ性の筒体３である。
【００５１】
図７は、蛇腹状の中空筒体３の両端にある開口部分の大経開口部側にキャップうけ１２ａ、最小経開口部側にキャップうけ１３ａを設けた。さらに、取り外し可能なキャップ本体を大経開口部１２ｂと最小経開口部に１３ｂを設けた。これにより、図６のような形状となり筒体３にシャトルコック５を収納しても露出することなくまた破損や紛失が軽減されシャトルコック収納筒としての機能も持っている。収納時は、図８の筒本体カバ−の両端に設けた調節機能付き紐１７を縮めることで移動時にも便利に移動することができる。
【００５２】
１度に多くの球出しを必要とする上級者や練習であれば、球出し器１ではもの足りない場合もある。したがって、図１０のように３連式の肩掛け型バドミントン練習用球出し器にできるような形状にした。球出し器１に専用の取り付け部品図９の３連式用固着部品１６を取り付け、球出し器１ａと球出し器１ｂが球出し器１に固着する形状となる。これにより、多くの球出しが可能となった。
【符号の説明】
【００５３】
１・・・肩掛け型バドミントン練習用球出し器、
１ａ・・肩掛け型バドミントン練習用球出し器
１ｂ・・肩掛け型バドミントン練習用球出し器
２・・・空洞部、
３・・・蛇腹状の中空筒体、
３ａ・・筒体
４・・・取り出し部材、
５・・・シャトルコック（球）
５ａ・・シャトルコックの先端頭部
５ｂ・・シャトルコックの羽根部
６ａ・・・曲面状縮経係止、                  
６ｂ・・・段状縮経係止部、
６ｃ・・・テーパー状縮経係止、
７・・・支持部材、
７ａ・・・ベ−ス、
７ｂ・・・ポ−ル、
７ｃ・・・把持具、
７ｄ・・・ボ−ド、
７ｅ・・・連結部、  
７ｆ・・・支軸
８ａ、８ｂ・・・ねじ
９・・・スリット、
１０・・・蛇腹部分最小収縮時
１０ａ・・・蛇腹部分伸ばした時
１１・・・筒本体カバ−、
１２ａ・・・大経開口部側キャップうけ、
１２ｂ・・・大経開口部キャップ本体、
１３ａ・・・最小経開口部側キャップうけ、
１３ｂ・・・最小経開口部キャップ本体、
１４・・・肩掛けバンド、
１５・・・バンド調節機能部品、
１６・・・３連式用固着部品
１７・・・調節機能付き紐
【図１】
2011115247.tif 000003
【図２】
2011115247.tif 000004
【図３】
2011115247.tif 000005
【図４】
2011115247.tif 000006
【図５】
2011115247.tif 000007
【図６】
2011115247.tif 000008
【図７】
2011115247.tif 000009
【図８】
2011115247.tif 000010
【図９】
2011115247.tif 000011
【図１０】
2011115247.tif 000012
【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
シャトルコックの羽根の最大径よりも大径の空洞部を有する筒体全体は、蛇腹状の伸縮カトウ性であり、両端に開口部を有し、開口部にキャップを設けることでシャトルコック収納筒となり、さらに、指を挟む等のケガ防止にもなるカバーは、両端に調節機能付きの肩掛けバンドを設け、使用者の座高にあわせて調節・フィットし、筒体の下端開口部には、該筒体の空洞部を落下したシャトルコックの頭部が露出し、且つ羽根の先端部分が係止されるように取出口部材の内面に柔らかいフェルトで曲面を設けたことを特徴とする肩掛け型バドミントン練習用球出し器。